(57)【要約】【課題】どのようなファイルに用いても、容易に書類を綴じたり外したりすることができる綴じ具を提供する。【解決手段】この発明の綴じ具１０は、基体１８の両端に続いて綴じ片２２が形成された綴じ部材１４と、前記綴じ部材１４との間に綴じ足７６を保持するベース部材１２とを備え、前記ベース部材１２の開口部５４より突き出て、綴じ部材１４の長手方向に延びる綴じ足７６を嵌めて、綴じ部材１４を綴じ足７６とともにベース部材１２に固定するように構成されている。【選択図】図１
2005313566.tif 000002
【特許請求の範囲】
【請求項１】
基体の両端に続いて綴じ片が形成された綴じ部材と、
前記綴じ部材との間に綴じ足を保持するベース部材とを備え、
前記ベース部材の開口部より突き出て、綴じ部材の長手方向に延びる綴じ足を嵌めて、
綴じ部材を綴じ足とともにベース部材に固定するように構成された、
綴じ具。
【請求項２】
綴じ部材のベース部材と対向する側には、ベース部材の開口部より突き出て綴じ部材の長手方向に延びる綴じ足を嵌める嵌挿部が形成された、
請求項１に記載の綴じ具。
【請求項３】
綴じ部材は、基体と、該基体の長手方向の両側にヒンジ部を挟んで形成された綴じ片とを備え、
該綴じ片は、綴じ足を嵌めるように形成された、
請求項１または２に記載の綴じ具。
【請求項４】
前記綴じ片は、ベース部材の開口部より突き出て綴じ部材の長手方向に延びる綴じ足を嵌める嵌挿部が、ベース部材と対向する側に形成され、
該嵌挿部に綴じ足を嵌めて、綴じ足とともにベース部材に固定するように形成された、
請求項３に記載の綴じ具。
【請求項５】
前記綴じ部材の嵌挿部は、
ベース部材の開口部の位置より、長手方向において外側に向けて延びる保持部と、
該保持部の両縁部に続いてベース部材側に向けて突き出され綴じ部材の長手方向に延びる挟持部と、
内側に向けてそれぞれが向き合うように、該挟持部より突き出された係止凸部とを備え、
該保持部と該係止凸部との間に長手方向に延びた綴じ足を嵌め、ベース部材に綴じ足を固定するように構成された、
請求項２ないし４に記載の綴じ具。
【請求項６】
前記綴じ片は、回動してベース部材に固定し且つ起こしてベース部材より引き離すことができるように形成され、
綴じ片が引き起こされるとき、綴じ足が綴じ片とともに引き起こされるように形成された、
請求項３ないし５に記載の綴じ具。
【発明の詳細な説明】
【技術分野】
【０００１】
この発明は、綴じ具に関し、特に、たとえば綴じ穴が形成された書類などをファイルに綴じるために用いられる綴じ具に関する。
【背景技術】
【０００２】
ファイルに書類などを綴じるために、たとえば図２２及び２３に示すような綴じ具１が用いられる。綴じ具１は、長手方向を有する綴じ具本体２を含む。綴じ具本体２の長手方向の両側には、操作片３が取り付けられる。操作片３は、綴じ具本体２の長手方向に対して直立する位置と、綴じ具本体２の長手方向に沿った位置との間で、回動可能に取り付けられる。操作片３の近傍において、綴じ具本体２には開口部４が形成される。
【０００３】
綴じ具１は、ファイル５に書類などを綴じるために用いられる。ファイル５は表紙６ａを含み、その中央部に形成された折り畳み部６ｂには、綴じ具１の２つの開口部４に対応した間隔で、綴じ足７が取り付けられる。この綴じ足７が、書類に形成された綴じ穴に挿通される。そして、書類の上に、綴じ具１が載置される。このとき、綴じ具本体２の開口部４に、綴じ足７が挿通される。そして、操作片３を綴じ具本体２の長手方向に沿うように倒すことにより、綴じ足７が綴じ具本体２の長手方向に倒れた状態で、綴じ具本体２と操作片３との間に挟まれる。この状態で、操作片３が綴じ具本体２に固定され、書類がファイル５に綴じられる。
【０００４】
このような綴じ具１において、操作片３が倒れた状態で固定されたとき、綴じ具本体２に対して直立する向きに力が働くような構造とすることが考えられている。このような綴じ具１では、操作片３が倒れた状態で固定されていないとき、常に綴じ具本体に対して起き上がるように力が働く。そのため、綴じ片３が起き上がって、開口部４が露出した状態が保たれる。したがって、開口部４が露出するように綴じ片３を指で支える必要がなく、綴じ足７を開口部４に挿通したり外したりする作業を容易に行うことができる（例えば、特許文献１参照）
【０００５】
このような綴じ具１は、書類の綴じ量を調整することができるファイル５にも用いることができる。このファイル５では、図２２及び２３に示すように、表紙６ａに袋状に形成された被覆用表紙８ａが被せられる。この被覆用表紙８ａには、折り畳み部６ｂに対応して、鍔状部８ｂが形成される。この鍔状部８ｂには、２つの綴じ足７に対応した間隔で、貫通孔が形成される。
【０００６】
このファイル５では、表紙６ａが袋状の被覆用表紙８ａに嵌め込まれているため、表紙６ａに対して被覆用表紙８ａをスライドさせることにより、折り畳み部６ｂと鍔状部８ｂの間隔を調整することができる。これらの折り畳み部６ｂと鍔状部８ｂとの間に、書類が挟み込まれ、綴じ足７が書類の綴じ穴および鍔状部８ｂの貫通孔に挿通される。書類の反対側には、鍔状部８ｂに綴じ具１０が取り付けられる。そして、綴じ具１の開口部４に綴じ足７を挿通し、操作片３を倒すことにより、書類をファイル５に綴じることができる。このように、表紙６ａの折り畳み部６ｂと被覆用表紙８ａの鍔状部８ｂとの間隔を調整することにより、これらの間に挟まれる書類の綴じ量を調整することができる。
【０００７】
【特許文献１】特開２００３−１１５６５号公報
【発明の開示】
【発明が解決しようとする課題】
【０００８】
このように、この綴じ具１では、操作片３が起きた状態を保つことができ、書類を綴じたり外したりすることが容易であるが、綴じ足７が綴じ具本体２の長手方向に沿うように曲がった状態のままである場合、綴じ具１が綴じ足７に引っ掛かって取り外しにくい。
【０００９】
また、書類の綴じ量を調整できるファイル５では、表紙６ａに対して被覆用表紙８ａをスライドさせるときに、図２２及び２３に示すように、鍔状部８ｂが倒れやすく、この場合、綴じ足７が綴じ具１に対して斜めになる。そのため、綴じ足７が綴じ具１の開口部４に斜めに入った状態となり、綴じ足７が綴じ具１に引っ掛かった状態となって、表紙６ａに対して被覆用表紙８ａをスライドさせることができなくなる。したがって、表紙６ａに対して被覆用表紙８ａをスライドさせようとすれば、鍔状部８ｂを綴じ足７に対して直交する状態で持ち、被覆用表紙８ａをスライドさせる必要があり、取り扱いが煩雑となる。
【００１０】
それゆえに、この発明の主たる目的は、どのようなファイルに用いても、容易に書類を綴じたり外したりすることができる綴じ具を提供することである。
【課題を解決するための手段】
【００１１】
この発明の請求項１にかかる綴じ具は、基体の両端に続いて綴じ片が形成された綴じ部材と、前記綴じ部材との間に綴じ足を保持するベース部材とを備え、前記ベース部材の開口部より突き出て、綴じ部材の長手方向に延びる綴じ足を嵌めて、綴じ部材を綴じ足とともにベース部材に固定するように構成された、綴じ具である。
この発明の請求項２にかかる綴じ具は、綴じ部材のベース部材と対向する側には、ベース部材の開口部より突き出て綴じ部材の長手方向に延びる綴じ足を嵌める嵌挿部が形成された、請求項１に記載の綴じ具である。
この発明の請求項３にかかる綴じ具は、綴じ部材は、基体と、該基体の長手方向の両側にヒンジ部を挟んで形成された綴じ片とを備え、該綴じ片は、綴じ足を嵌めるように形成された、請求項１または２に記載の綴じ具である。
この発明の請求項４にかかる綴じ具は、前記綴じ片は、ベース部材の開口部より突き出て綴じ部材の長手方向に延びる綴じ足を嵌める嵌挿部が、ベース部材と対向する側に形成され、該嵌挿部に綴じ足を嵌めて、綴じ足とともにベース部材に固定するように形成された、請求項３に記載の綴じ具である。
この発明の請求項５にかかる綴じ具は、前記綴じ部材の嵌挿部は、ベース部材の開口部の位置より、長手方向において外側に向けて延びる保持部と、該保持部の両縁部に続いてベース部材側に向けて突き出され綴じ部材の長手方向に延びる挟持部と、内側に向けてそれぞれが向き合うように、該挟持部より突き出された係止凸部とを備え、該保持部と該係止凸部との間に長手方向に延びた綴じ足を嵌め、ベース部材に綴じ足を固定するように構成された、請求項２ないし４に記載の綴じ具である。
この発明の請求項６にかかる綴じ具は、前記綴じ片は、回動してベース部材に固定し且つ起こしてベース部材より引き離すことができるように形成され、綴じ片が引き起こされるとき、綴じ足が綴じ片とともに引き起こされるように形成された、請求項３ないし５に記載の綴じ具である。
【発明の効果】
【００１２】
請求項１の発明によれば、綴じ足の形状に影響されることなく、たとえ綴じ足にある形状に湾曲する癖がついていても、綴じ足を綴じ部材の綴じ片に嵌めてベース部材に綴じ足とともに固定できるので、綴じ足の固定が容易であり、容易に書類を綴じたり外したりすることができる。
請求項２の発明によれば、綴じ足の形状に影響されることなく、たとえ綴じ足にある形状に湾曲する癖がついていても、綴じ足を綴じ部材の嵌挿部に嵌めてベース部材に綴じ足とともに固定できるので、綴じ足の固定が容易であり、容易に書類を綴じたり外したりすることができる。
請求項３および４の発明によれば、綴じ足の形状に影響されることなく、たとえ綴じ足にある形状に湾曲する癖がついていても、綴じ足を綴じ部材の綴じ片に嵌めてベース部材に綴じ足とともに固定できるので、綴じ足の固定が容易であり、容易に書類を綴じたり外したりすることができる。
請求項５の発明によれば、向き合う係止凸部の間より、綴じ足を挟持部間に嵌め込み、保持部とベース部材との間に綴じ足を嵌めて、ベース部材に綴じ足とともに固定できるので、綴じ足の固定が容易であり、容易に書類を綴じたり外したりすることができる。
請求項６の発明によれば、綴じ片は、回動してベース部材に固定し且つ起こしてベース部材より引き離すことができるように形成されることができ、且つ綴じ片が引き起こされるとき、綴じ足が綴じ片とともに引き起こされるように形成されたので、綴じ片からの綴じ足の引き抜きは容易で綴じられた書類を外すことが容易で、ベース部材に綴じ足とともに固定できるので、綴じ足の固定が容易であり、容易に書類を綴じたり外したりすることができる。
【００１３】
この発明の上述の目的，その他の目的，特徴および利点は、図面を参照して行う以下の実施の形態の詳細な説明から一層明らかとなろう。
この明細書において、裏面（側）とは、本綴じ具をファイルに固定するとき、ファイルに固定される面（側）を言い、表面（側）とは、ファイルに固定される面（側）と反対側の面（側）を言う。
【発明を実施するための最良の形態】
【００１４】
図１はこの発明の綴じ具を開いた状態を示す斜視図であり、図２はこの発明の綴じ具を閉じた状態を示す斜視図であり、図３はこの発明の綴じ具の綴じ片を起立した状態を示す斜視図である。図４は、図１に示す綴じ具を一方面側からみた平面図であり、図５は、図１に示す綴じ具を他方面側からみた平面図である。
綴じ具１０は、たとえば、書類の綴じ量を調整することができるファイルに取り付けられるもので、長手方向を有する略長尺帯状のベース部材１２と、長手方向を有する略長尺帯状の綴じ部材１４とを含む。
これらのベース部材１２と綴じ部材１４とは、薄肉状で折り曲げ可能な連結部材１６によって連結される。連結部材１６は、ベース部材１２および綴じ部材１４の長手方向の中央部において、ベース部材１２および綴じ部材１４の幅方向の一端側を連結するように形成され、連結部材１６の長手方向において一端から他端に亘って連続する薄肉状の折り曲げ部１６ａを介して綴じ部材１４と連結され、且つ連結部材１６の長手方向において一端から他端に亘って連続する薄肉状の折り曲げ部１６ｂを介してベース部材１２と連結されている。
ベース部材１２と綴じ部材１４と連結部材１６とは、軟質合成樹脂にて一体形成されてなる。
【００１５】
綴じ部材１４は、長尺帯状の基体１８を備え、その一方面側（裏面側）には綴じ部材１４の長手方向に沿って凹部１８ａが形成され、他方面側（表面側）は平面状に形成される。凹部１８ａが形成されることによって、綴じ部材１４の幅方向の両側に、２つの側壁部１８ｂ、１８ｂが平行に形成される。基体１８の長手方向の両側には、中間部２０を介して、一対の綴じ片２２が形成される。中間部２０および綴じ片２２は、綴じ部材１４の２つの側壁部１８ｂとほぼ同じ幅に形成される。
【００１６】
中間部２０は、図６に示すように、綴じ部材１４の一方面側（裏面側）の凹部１８ａから一段上がって形成され、さらに、中間部２０の外側には、中間部２０に続いて縦断面Ｖ字状に凹んで、折り曲げ可能な薄肉状のヒンジ部２４が形成される。
ヒンジ部２４は、薄肉部が綴じ部材１４の幅方向に連続して形成され、両側壁部１８ｂ間及び中間部２０と略同一の幅に形成されている。
【００１７】
また、綴じ部材１４の基体１８の長手方向の両端側において、綴じ部材１４の長手方向の外側に向かって突出する凸部３６が形成される。凸部３６は、綴じ部材１４の他方面側（表面側）において、綴じ部材１４の幅方向に延びるように形成される。それにより、凸部３６と中間部２０との間に、溝状の凹部３６ａが形成される。
【００１８】
綴じ片２２は、ベース部材１２の開口部５４に対向する部位より長手方向の外側に向かって延びる嵌挿部２６が形成される。
嵌挿部２６は、開口部５４に挿通されて綴じ片２２側に突き出て且つ湾曲して、綴じ片２２の長手方向の外側に向かって延びる断面長方形で帯状の綴じ足７６（後に詳述する）が嵌まり、ベース部材１２側に向けて綴じ足７６を押え込むように形成されている。
嵌挿部２６は、湾曲した綴じ足７６の上面を押さえる保持部２８と、該保持部２８の両縁部に続いて下方に突き出た綴じ足７６の挟持部３０と、該左右一対の挟持部３０の下部より、その内側に向けてそれぞれが向き合うように突き出た左右一対の係止凸部３２とを備える。
保持部２８は、綴じ足７６の幅より幅が広い横幅を備える。
また、挟持部３０は、綴じ足７６の厚さより高い高さと綴じ足７６が延びる方向に延びる長さを備えて、綴じ足７６を挟んで綴じ足７６が綴じ片２２の長手方向に直線状に伸びて所定の位置に固定されるように形成されている。
係止凸部３２は、開口部５４に対向する部位より長手方向の外側において一定の間隔をおいた位置に形成され、綴じ足７６が延びる長手方向に延びる長さを備えて、綴じ足７６を係止し保持し得るように形成されている。
【００１９】
綴じ片２２の他方面側（表面側）において、ヒンジ部２４に近い端部に、凸部３８が形成される。凸部３８は、綴じ片２２の基体１８側の端面に突出するようにして、綴じ片２２と同一の幅であって、綴じ片２２の幅方向全域に延びるように形成され、ヒンジ部２４を構成するＶ字状斜面の表面とは直角に交差する方向に向けて突出されている。それにより、凸部３８と綴じ片２２との間に、溝状の凹部３８ａが形成される。
ヒンジ部２４で折り曲げて綴じ片２２を綴じ部材１４の長手方向の中心側（基体１８側）に起こし、綴じ片２２を基体１８部分と直交するように立てたとき、この凸部３８は、綴じ部材１４から突出する凸部３６と中間部２０との間に形成される凹部３６ａに嵌り込むとともに、この凹部３８ａには、凸部３６が嵌り込むように形成される（図１４参照）。
【００２０】
また、前記係止凸部３２より長手方向の内側において、保持部２８の内側部より前記挟持部３０に続いて挟持部３０と同じ高さの内壁部３４が形成され、内壁部３４に当接した綴じ足７６が長手方向の外側の方向に向いて湾曲するように、下部（ベース部材１２と対向する側面）から上部に向かうに従って被さるように外側に向かって傾斜する傾斜面により構成されている。
【００２１】
綴じ片２２の先端側は、２叉状でその先端に向かうに従って広がる末広状の摘み部４０が形成され、一対の摘み部４０の中央には、切込部４０ａが形成される。
切込部４０ａは、綴じ片２２の他方面側において、綴じ片２２の先端側から内側に向かって徐々に幅が狭くなるように形成され、ある程度幅が狭くなったところで同一幅となるように形成される。
切込部４０ａが形成された部分の先端側において、綴じ片２２の幅が大きくなる末広状の摘み部４０が形成され、一対の摘み部４０は、基体１８よりその幅が広く、視覚的に指で摘む部位であることがわかり易く且つ指で持ちやすくなっており、一対の摘み部４０は、内壁部３４側に向けて湾曲させることができるように形成されている。
また、摘み部４０の内側の近傍において、綴じ片２２の幅方向の両側に突出する係止部４２が形成される。係止部４２は、係止を容易にするための斜面部４２ａと該斜面部４２ａに続く直角状の係合部４２ｂとからなる。
【００２２】
さらに、連結部材１６の両側において、綴じ部材１４の幅方向の両側に突出するように４つの係止部４４が形成される（図４および１１参照）。さらに、綴じ部材１４の長手方向の中央部において、連結部材１６の反対側に、綴じ部材１４の幅方向の外側に向かって突出する別の係止部４６が形成される。係止部４４および係止部４６は、係止を容易にするための斜面部４４ａ、４６ａと該斜面部４４ａ、４６ａに続く直角状の係合部４４ｂ、４６ｂとからなる。
【００２３】
ベース部材１２は、長手方向を有する平面部５０と、平面部５０の幅方向の両側に形成される側壁部５２とを含む。側壁部５２は、平面部５０の面に対して起立するように形成される。ただし、連結部材１６が形成されている部分には、側壁部５２は形成されていない（図１２参照）。これらの側壁部５２の間に、綴じ部材１４が嵌め込まれて保持される。ベース部材１２は、綴じ部材１４の両端部に形成された摘み部４０の間を保持する長さに形成される。
【００２４】
ベース部材１２の平面部５０には、綴じ部材１４の嵌挿部２６に対応する位置に、貫通孔たる開口部５４が形成される（図１０参照）。さらに、図４に示すように、ベース部材１２の平面部５０の長手方向において、開口部５４の外側に、平面部５０の他方面側に突出するクリップ部５８が形成される。クリップ部５８は、平面部５０から突出する基部５８ａを含む。この基部５８ａからベース部材１２の長手方向に向けて平面部５０に沿って延びるように、押さえ板５８ｂが形成される。そして、ベース部材１２の平面部５０とクリップ部５８とでファイル７０などを挟み込むことにより、ベース部材１２がファイル７０などに取り付けられる。
【００２５】
さらに、ベース部材１２の長手方向における２つの開口部５４の外側において、平面部５０の一方面（綴じ部材１４と対向する面）側に、鋸状の凹凸部６０が形成される（図７参照）。この凹凸部６０は、綴じ部材１４の綴じ片２２に形成された保持部２８に対応する位置に形成される。また、綴じ部材１４の係止部４４に対応する位置において、ベース部材１２の側壁部５２に、係止部４４を嵌め込むための凹部６２が形成される（図１１参照）。この凹部６２に係止部４４を嵌め込み、凹部６２の下面に係合部４４ｂを係合させることにより、綴じ部材１４がベース部材１２に固定される。また、綴じ部材１４の係止部４２に対応する位置において、ベース部材１２の側壁部５２に、係止部４２を嵌め込み、係合部４２ｂを係合させるための凹部６４が形成される（図８参照）。この凹部６４に係止部４２を嵌め込み、係合部４２ｂを凹部６４の下面に係合させることにより、綴じ片２２を倒した状態で保持することができる。
なお、凹凸部６０の最頂点と綴じ部材１４の綴じ片２２の内側面との間隔は、綴じ足７６の厚みと略同じか若干短く設定される。
【００２６】
さらに、ベース部材１２の長手方向の中央部において、連結部材１６の反対側の側壁部５２に、凹部６６が形成される（図１２参照）。この凹部６６は、ベース部材１２と綴じ部材１４とを組み合わせたときに、係止部４６を嵌め込み、その下面に係合部４６ｂを係合させるために用いられる。
【００２７】
この綴じ具１０を用いるために、図２および図１３に示すように、連結部材１６が折り曲げ部１６ａ及び折り曲げ部１６ｂにおいて折り曲げられて、ベース部材１２に綴じ部材１４が嵌め込まれる。このとき、綴じ部材１４の係止部４４がベース部材１２の凹部６２に嵌め込まれて、ベース部材１２に綴じ部材１４が固定される。また、綴じ片２２に形成された係止部４２がベース部材１２の凹部６４に嵌め込まれて、綴じ片２２が倒れた状態で保持される。さらに、綴じ部材１４の中央部に形成された係止部４６がベース部材１２の凹部６６に嵌め込まれ、連結部材１６の反対側で固定される。
なお、ベース部材１２の係止凸部３２と対向する部位に、係止凸部３２を収容する空隙部６８が形成され、ベース部材１２に綴じ部材１４が嵌め込まれ、綴じ片２２が閉じられるとき、綴じ片２２の係止凸部３２が空隙部６８内に収まるように形成されている。
【００２８】
この綴じ具１０は、たとえば、書類の綴じ量を調整することができるファイルに取り付けられる。ファイル７０は、図１５および１６に示すように、表紙７２と、被覆用表紙７４とを含む。表紙７２および被覆用表紙７４は、たとえば厚紙や合成樹脂などで形成されたシート材などを用いて形成される。表紙７２は、シート材を折り曲げて形成される。そして、表紙７２は、２つの平面部７２ａ，７２ｂを含み、その略中央部において平面部７２ａ，７２ｂの面上に突出する折り畳み部７２ｃが形成される。
【００２９】
また、被覆用表紙７４は、シート材を袋状にすることにより形成される。袋状の被覆用表紙７４の開口端部には、被覆用表紙７４の面に対して突出する鍔状部７４ａが形成される。この被覆用表紙７４には、表紙７２の一方の平面部７２ａが挿入される。このとき、鍔状部７４ａが表紙７２の折り畳み部７２ｃと同じ向きに配置される。したがって、表紙７２に対して被覆用表紙７４をスライドさせることにより、鍔状部７４ａと折り畳み部７２ｃとの間の間隔を調整することができる。
【００３０】
表紙７２の折り畳み部７２ｃには、２本の綴じ足７６が鍔状部７４ａに向かって延びるように取り付けられる。綴じ足７６は、たとえば１本の帯状物の両端側を折り畳み部７２ｃに形成された孔に通すことにより形成される。これらの綴じ足７６には、外面側にたとえば鋸状の凹凸部が形成される。
【００３１】
また、被覆用表紙７４の鍔状部７４ａには、ベース部材１２と綴じ部材１４とを備えた綴じ具１０が取り付けられる。この場合、図１４に示すように、鍔状部７４ａには取り付け用孔８０が形成され、この取り付け用孔８０にベース部材１２のクリップ部５８が通される。このように、ベース部材１２の平面部５０とクリップ部５８とで鍔状部７４ａを挟むことにより、綴じ具１０が鍔状部７４ａに固定される。このとき、図１４および１５に示すように、鍔状部７４ａには、開口部５４に連通するようにして貫通孔７４ｂが形成される。なお、綴じ片２２が倒れた状態においては、綴じ片２２の係止部３８がベース部材１２の凹部６４に嵌り込んで固定される。
【００３２】
このファイル７０に書類を綴じるには、綴じ孔が形成された書類が、表紙７２の折り畳み部７２ｃと被覆用表紙７４の鍔状部７４ａとの間に挟み込まれる。そして、折り畳み部７２ｃから延びる綴じ足７６が、書類の綴じ孔に挿通される。このとき、綴じ片２２は、ベース部材１２に対して直交する状態、つまりベース部材１２に対して起きた状態になっている。
さらに、この綴じ足７６は、鍔状部７４ａの貫通孔からベース部材１２の開口部５４を通して、綴じ部材１４側に突き出される。そして、綴じ足７６は、ベース部材１２の長手方向の外側に向けて延び、延びた綴じ足７６の上から起きた状態になっている綴じ片２２がベース部材１２側に向けてヒンジ部２４を中心にして回動されて倒されると、綴じ足７６は綴じ片２２の嵌挿部２６内に嵌まり込む。
すなわち、綴じ足７６は、一対の係止凸部３２の間の間隙内に入り込み、係止凸部３２の弾力性により係止凸部３２の間の間隙が拡がり、綴じ足７６は嵌挿部２６内に嵌まり込む。
【００３３】
この状態で、綴じ片２２が倒され、係止部４２がベース部材１２の凹部６４に嵌め込まれる。それによって、綴じ片２２の保持部２８の表面で綴じ足７６を押圧するとともに綴じ足７６の凹凸部がベース部材１２の凹凸部６０に嵌り込み、綴じ足７６の引き抜きが防止される。このようにして、書類は綴じ込まれ、ファイル７０に保持される。
【００３４】
また、綴じた書類を外したり、さらに書類を追加するときには、綴じ片２２の摘み部４０を両側から挟むことにより、係止部４２をベース部材１２の凹部６４から外して、綴じ片２２が起こされる。そして、表紙７２に対して被覆用表紙７４をスライドさせることにより、折り畳み部７２ｃと鍔状部７４ａとが離れて、綴じ足７６が綴じ片２２から引き抜かれる。
【００３５】
綴じ片２２が起きた状態のとき、図１４に示すように、綴じ片２２に形成された凸部３８が、綴じ部材１４の端部に形成された凸部３６と中間部２０との間に形成される凹部３６ａに嵌り込む。これらの凸部３６，３８などによってストッパが形成され、綴じ片２２が起きた状態が保たれる。綴じ片２２が起きた状態で保持されるため、綴じ足７６を嵌挿部２６より引き抜くことを容易に行うことができる。
【００３６】
このとき、綴じ足７６は綴じ片２２の嵌挿部２６に嵌められているため、綴じ足７６がベース部材１２および綴じ部材１４に対して斜交した状態が保持され、綴じ足７６が綴じ具１０に引っ掛かったりしない。そのため、綴じ足７６をスムーズに綴じ片２２から引き抜くことができる。また、表紙７２に対して被覆用表紙７４をスライドさせても、鍔状部７４ａが斜めに倒れたりせず、スムーズにスライドさせることができる。
このように、綴じ足７６を折り曲げた状態で、ベース部材１２と綴じ片２２とを固定することにより、書類などが綴じ具１０から外れるのを防止することができる。
【００３７】
このような綴じ具１０では、綴じ部材１４とほぼ同じ幅となるように綴じ片２２およびヒンジ部２４が形成されているため、綴じ部材１４をベース部材１２に嵌め込んだときに、ベース部材１２の側壁部５２がヒンジ部２４の幅方向の両側に配置される。しかも、ベース部材１２の側壁部５２は、ヒンジ部２４に近接して配置されるため、ヒンジ部２４は綴じ片２２が起きたり倒れたりする向きにのみ折り曲げ可能となり、他の向きへの動きは側壁部５２で規制される。したがって、ヒンジ部２４が破損する向きに力が働きにくい。
【００３８】
また、この綴じ具１０では、ベース部材１２と綴じ部材１４とを組み合わせることにより、綴じ部材１４の長手方向におけるヒンジ部２４の間で、ベース部材１２の側壁部５２と綴じ部材１４の側壁部１８ｂとが重なり合う。それにより、これらの側壁部５２，１８ｂ、綴じ部材１４の基体１８、ベース部材１２の平面部５０などによって、角筒状に形成される。このような構造とすることにより、綴じ具１０の捩れ方向の力に対して強くなり、破損しにくい綴じ具１０を得ることができる。
【００３９】
さらに、このような綴じ具１０では、ベース部材１２と綴じ部材１４とが連結部材１６で連結されているため、ファイル７０に取り付けられた綴じ具１０の綴じ部材１４がベース部材１２から外れてしまった場合でも、綴じ部材１４を紛失することがない。また、ベース部材１２と綴じ部材１４と連結部材１６とが一体的に形成されているため、合成樹脂などの材料を用いて射出成形することにより、容易に製造することができる。特に、ベース部材１２と綴じ部材１４とを組み合わせたときに、ヒンジ部２４の幅方向の両側にベース部材１２の側壁部５２が配置されるため、ヒンジ部２４が形成された綴じ部材１４には、ヒンジ部２４に近接する側壁部を形成する必要がなく、容易に成形を行うことができる。
また、ベース部材１２と綴じ部材１４とを連結部材１６で連結し、連結部材１６を折り曲げてベース部材１２と綴じ部材１４とを組み合わせる構造とすることにより、綴じ片２２を動作させるためのヒンジ部２４が破損しにくく、耐久性の高い綴じ具１０を得ることができる。
【００４０】
このように、この実施の形態によれば、ベース部材と綴じ部材とを連結部材で連結し、連結部材を折り曲げてベース部材と綴じ部材とを組み合わせる構造とすることにより、綴じ部材に形成された綴じ片を動かすためのヒンジ部に近接してベース部材の側壁部を配置することができる。そのため、綴じ片が動作する向きにのみヒンジ部を屈曲させることができ、ヒンジ部の破損を防止することができる。
さらに、ベース部材と綴じ部材とを組み合わせることにより、角筒状の部分を形成することができ、綴じ具全体としての強度を高めることができる。
また、ベース部材と綴じ部材と連結部材とが一体的に形成されるため、合成樹脂などを用いて射出成形などによって容易に製造することができる。しかも、ベース部材と綴じ部材とを組み合わせることにより、ベース部材の側壁部が綴じ部材の綴じ片に近接して配置されるため、綴じ部材において、ヒンジ部に近接する側壁部を形成する必要がない。そのため、合成樹脂の射出成形などによって、容易にヒンジ部を保護する綴じ具を得ることができる。
【００４１】
なお、綴じ部材１４に形成される綴じ片２２としては、前記実施の形態に限定されることなく、単に、綴じ足７６を嵌めてベース部材１２の平面部５０側に折り曲げるものであればよく、また、図１８および１９に示すように、綴じ片２２の保持部２８の内面、すなわちベース部材１２の平面部５０側に対向する面に凹凸部６０に対応する鋸状の凹凸部２８ａを形成してもよい。
【００４２】
クリップ部５８は、図１８および１９に示すように、押さえ板５８ｂの先端部には、平面部５０側に向かって跳ね上がる跳ね上がり部５８ｃが形成され、クリップ部５８の跳ね上がり部５８ｃが、鍔状部７４に形成された孔８２に嵌め込まれるように形成してもよい。
また、綴じ足７６に、図２０および２１に示すように、凹凸部６０の凹凸に対応する凹凸部７６ａをその長手方向の全長に亘って形成してもよい。
【図面の簡単な説明】
【００４３】
【図１】この発明の綴じ具を開いた状態を示す斜視図である。
【図２】この発明の綴じ具を閉じた状態を示す斜視図である。
【図３】この発明の綴じ具の綴じ片を起立した状態を示す斜視図である。
【図４】図１に示す綴じ具を一方面側からみた平面図である。
【図５】図１に示す綴じ具を他方面側からみた平面図である。
【図６】図１に示す綴じ具の綴じ部材を示す図４図示のＨ−Ｈ断面図である。
【図７】図１に示す綴じ具のベース部材を示す図４図示のＧ−Ｇ断面図である。
【図８】図１に示す綴じ具の図４図示のＡ−Ａ断面図であり、（ａ）はベース部材と綴じ部材とを組み合わせる前の図であり、（ｂ）はベース部材と綴じ部材とを組み合わせた後の図である。
【図９】図１に示す綴じ具の図４図示のＢ−Ｂ断面図である。
【図１０】図１に示す綴じ具の図４図示のＣ−Ｃ断面図である。
【図１１】図１に示す綴じ具の図４図示のＥ−Ｅ断面図であり、（ａ）はベース部材と綴じ部材とを組み合わせる前の図であり、（ｂ）はベース部材と綴じ部材とを組み合わせた後の図である。
【図１２】図１に示す綴じ具の図４図示のＦ−Ｆ断面図であり、（ａ）はベース部材と綴じ部材とを組み合わせる前の図であり、（ｂ）はベース部材と綴じ部材とを組み合わせた後の図である。
【図１３】ベース部材と綴じ部材とを組み合わせるときの状態を示す図解図である。
【図１４】本発明にかかる綴じ具のベース部材と綴じ部材とを組み合わせ、綴じ片を起立したときの状態を示す断面図解図である。
【図１５】本発明にかかる綴じ具のベース部材と綴じ部材とを組み合わせ、綴じ片を倒した状態を示す断面図解図である。
【図１６】図１５に示す綴じ具をファイルに使用した状態を示す図解図である。
【図１７】図１５に示す綴じ具をファイルに使用した状態を示す図解図である。
【図１８】本発明にかかる別の実施の形態である綴じ具のベース部材と綴じ部材とを組み合わせ、綴じ片を起立したときの状態を示す断面図解図である。
【図１９】本発明にかかる別の実施の形態である綴じ具のベース部材と綴じ部材とを組み合わせ、綴じ片を倒した状態を示す断面図解図である。
【図２０】本発明にかかる別の実施の形態である綴じ具のベース部材と綴じ部材とを組み合わせ、綴じ片を起立したときの状態を示す断面図解図である。
【図２１】本発明にかかる別の実施の形態である綴じ具のベース部材と綴じ部材とを組み合わせ、綴じ片を倒した状態を示す断面図解図である。
【図２２】従来の綴じ具の一例を示す図解図である。
【図２３】従来の綴じ具の一例を示す図解図である。
【符号の説明】
【００４４】
１  綴じ具
２  綴じ具本体
３  操作片
４  開口部
５  ファイル
６ａ  表紙
６ｂ  折り畳み部
７  綴じ足
８ａ  被覆用表紙
８ｂ  鍔状部
１０  綴じ具
１２  ベース部材
１４  綴じ部材
１６  連結部材
１６ａ，１６ｂ  折り曲げ部
１８  基体
１８ａ  凹部
１８ｂ  側壁部
２０  中間部
２２  綴じ片
２４  ヒンジ部
２６  嵌挿部
２８  保持部
２８ａ  鋸状の凹凸部
３０  挟持部
３２  係止凸部
３４  内壁部
３６  凸部
３６ａ  凹部
３８  凸部
３８ａ  凹部
４０  摘み部
４０ａ  切込部
４２  係止部
４４  綴じ部材の係止部
４６  係止部
４２ａ，４４ａ，４６ａ  斜面部
４２ｂ，４４ｂ，４６ｂ  係合部
５０  平面部
５２  側壁部
５４  開口部
５８  クリップ部
５８ａ  基部
５８ｂ  押さえ板
５８ｃ  跳ね上がり部
６０  凹凸部
６２  ベース部材の凹部
６４  ベース部材の凹部
６６  ベース部材の凹部
６８  空隙部
７０  ファイル
７２  表紙
７２ａ，７２ｂ  平面部
７２ｃ  折り畳み部
７４  被覆用表紙
７４ａ  鍔状部
７４ｂ  貫通孔
７６  綴じ足
８０  取り付け用孔
８２  鍔状部の孔
【図１】
2005313566.tif 000003
【図２】
2005313566.tif 000004
【図３】
2005313566.tif 000005
【図４】
2005313566.tif 000006
【図５】
2005313566.tif 000007
【図６】
2005313566.tif 000008
【図７】
2005313566.tif 000009
【図８】
2005313566.tif 000010
【図９】
2005313566.tif 000011
【図１０】
2005313566.tif 000012
【図１１】
2005313566.tif 000013
【図１２】
2005313566.tif 000014
【図１３】
2005313566.tif 000015
【図１４】
2005313566.tif 000016
【図１５】
2005313566.tif 000017
【図１６】
2005313566.tif 000018
【図１７】
2005313566.tif 000019
【図１８】
2005313566.tif 000020
【図１９】
2005313566.tif 000021
【図２０】
2005313566.tif 000022
【図２１】
2005313566.tif 000023
【図２２】
2005313566.tif 000024
【図２３】
2005313566.tif 000025